(57)【特許請求の範囲】
【請求項１】
１ｍｍと１ｍとの間の自由空間波長λ０を有する電磁波を送受信するためのデバイスであって、
実質的に平坦な第一の表面（Ｓ１）を少なくとも有する固体誘電体の媒体（１１）であって、前記自由空間波長λ０が該媒体（１１）内部の波長λに対応する、媒体（１１）と、
前記媒体内部に組み込まれた複数の導体素子（１２）であって、各導体素子が、第一の端部（１２ａ）と第二の端部（１２ｂ）との間において前記第一の表面（Ｓ１）に沿って延伸する所定の長さのワイヤであり、二つの隣接する導体素子（１２）がλ／１０未満の距離で互いに間隔が空けられていて、該導体素子が電気キャパシタ（Ｃ）及び電気インダクタンス（Ｌ）を有する電気ループを形成する、複数の導体素子（１２）と、
電気信号を送受信するために電子デバイス（１４）に接続されるアンテナ素子（１３）と、
他の電気信号を送受信するために前記電子デバイスに接続される他のアンテナ素子（１３）であって、該他のアンテナ素子が前記アンテナ素子と異なり、前記他の電気信号が前記電気信号と異なる、他のアンテナ素子（１３）とを備え、
前記複数の導体素子のうち少なくとも一つの同調導体素子が、前記アンテナ素子（１３）及び前記他のアンテナ素子からλ／１０未満の距離に第一の端部を有し、
前記同調導体素子が、前記媒体（１１）内部の前記波長λに対応する電気共鳴周波数を有し、
前記アンテナ素子及び前記他のアンテナ素子の各々が前記複数の導体素子（１２）のうちの一つである、デバイス。
【請求項２】
前記第一の表面（Ｓ１）に沿って延伸する電気ベクトル及び磁気ベクトルを有し、且つ、前記第一の表面（Ｓ１）に垂直な方向（Ｚ）に沿って延伸する伝播ベクトルを有する前記媒体内部の複数の電磁モード（ＥＭ）を有し、前記複数の電磁モードが前記波長λに対応する媒体の共鳴周波数を有する、請求項１に記載のデバイス。
【請求項３】
前記アンテナ素子（１３）が前記媒体（１１）の電磁モード（ＥＭ）の少なくとも一つの腹に近接して配置され、前記他のアンテナ素子（１３）が前記媒体（１１）の電磁モード（ＥＭ）の少なくとも一つの他の腹に近接して配置され、前記腹及び前記他の腹が電磁モード（ＥＭ）の異なるモードに属している、請求項２に記載のデバイス。
【請求項４】
前記導体素子（１２）、前記アンテナ素子（１３）、及び前記他のアンテナ素子が、電子ボードの前記第一の表面の上方に印刷された導体である、請求項１に記載のデバイス。
【請求項５】
前記複数の導体素子のうちの他の同調導体素子を更に備え、前記他の同調導体素子が前記同調導体素子と異なり、前記他の同調導体素子が前記アンテナ素子からλ／１０未満の距離に第一の端部を有し、前記他の同調導体素子が、他の波長λ＊に対応する他の電気共鳴周波数を有し、前記他の波長λ＊が前記波長λと異なる、請求項１から４のいずれか一項に記載のデバイス。
【請求項６】
前記複数の導体素子のうちの他の同調導体素子を更に備え、前記他の同調導体素子が前記同調導体素子と異なり、前記他の同調導体素子が前記アンテナ素子からλ／１０未満の距離に第一の端部を有し、前記他の同調導体素子が、他の波長λ＊に対応する前記他の同調導体素子に沿った電磁共鳴を発生させるように構成された前記他の同調導体素子を覆う誘電体層を備え、前記他の波長λ＊が前記波長λと異なる、請求項１から５のいずれか一項に記載のデバイス。
【請求項７】
前記媒体が、前記媒体の屈折率を変更する孔を備える、請求項１から６のいずれか一項に記載のデバイス。
【請求項８】
前記導体素子の第一の端部が前記第一の表面内において規則的に間隔が空けられていて、前記第一の表面（Ｓ１）の上方に周期パターンを形成している、請求項１から７のいずれか一項に記載のデバイス。
【請求項９】
前記導体素子の第一の端部の各々が、電気質量、定電位、パッシブインピーダンス、抵抗インピーダンス、キャパシタインピーダンス、及びインダクタインピーダンスから成る群から選択された電気負荷に接続される、請求項１から８のいずれか一項に記載のデバイス。
【請求項１０】
前記第二の端部が、λ／１０未満の末端間距離で前記第一の端部から離れている、請求項１から９のいずれか一項に記載のデバイス。
【請求項１１】
請求項１から１０のいずれか一項に記載の電磁波を送受信するためのデバイスを備えたシステムであって、前記アンテナ素子（１３）が、電気信号を送受信するために電子デバイスに接続され、前記他のアンテナ素子が、他の電気信号を送受信するために前記電子デバイスに接続されている、システム。
【請求項１２】
前記アンテナ素子が結合回路を介して前記電子デバイスに接続されていて、前記結合回路が好ましくはリアクタンス性インピーダンスを有する、請求項１１に記載のシステム。
【請求項１３】
１ｍｍと１ｍとの間、好ましくは１０ｃｍと４０ｃｍの間の自由空間波長λ０を有する電磁波を送受信するための請求項１から１０のいずれか一項に記載のデバイスの使用。
【発明の詳細な説明】
【技術分野】
【０００１】
本発明は、電磁波を送受信するためのデバイス、そのデバイスを備えたシステム、及びそのようなデバイスの使用に関する。
【背景技術】
【０００２】
本出願人自身の特許文献１から、複数の金属拡散器に取り囲まれた反応型アンテナ素子を有するデバイスが知られている。この構成によって、電磁波は、サブ波長距離においてアンテナ素子付近の点ｉに集束される。
【０００３】
このデバイスは十分なものではあるが、依然として改善の必要がある。
【先行技術文献】
【特許文献】
【０００４】
【特許文献１】国際公開第２００８／００７０２４号
【発明の概要】
【発明が解決しようとする課題】
【０００５】
本発明の一課題は、電磁波を送受信するための改善されたデバイスを提供することである。
【０００６】
このため、本デバイスは、１ｍｍと１ｍとの間の自由空間波長λ０を有する電磁波を送受信するためのデバイスを提案し、そのデバイスは：
‐  実質的に平坦な第一の表面を少なくとも有する固体誘電体の媒体（自由空間波長λ０は媒体（１１）内部の波長λに対応する）と、
‐  その媒体内部に組み込まれた複数の導体素子（各導体素子は第一の端部及び第二の端部の間において第一の表面に沿って延伸する所定の長さのワイヤであり、二つの隣接する導体素子はλ／１０未満の距離で互いに間隔が空けられていて、導体素子は電気キャパシタ及び電気インダクタンスを有する電気ループを形成する）と、
‐  電気信号を送受信するために電子デバイスに接続されるアンテナ素子と、
‐  他の電気信号を送受信するために前記電子デバイスに接続される他のアンテナ素子（他のアンテナ素子は前記アンテナ素子と異なり、他の電気信号は前記電気信号と異なる）とを備え、
‐  複数の導体素子のうちの少なくとも一つの同調導体素子は前記導体素子及び前記他の導体素子からλ／１０未満の距離において第一の端部を有し、
‐  前記同調導体素子は媒体内部の波長λに対応する電気共鳴周波数を有し、
‐  アンテナ素子及び他のアンテナ素子の各々が複数の導体素子のうちの一つである。
【０００７】
こうした特徴によって、本デバイスは、導体素子を含む媒体の電磁モード（ＥＭ）と一致する電磁共鳴を有する同調導体素子を備える。従って、本デバイスは、電磁波を効率的に送受信することができて、このようなデバイスはｚ方向のサイズが非常に小型であり、特に非常に平坦である。本デバイスは単一の電子ボードに製造可能であり、非常に安価である。
【０００８】
本デバイスの多様な実施形態においては、以下の特徴のうち一つ以上が任意で組み込まれ得る：
‐  本デバイスは、第一の表面に沿って延伸する電気ベクトル及び磁気ベクトルを有し且つ第一の表面に垂直な方向に沿って延伸する伝播ベクトルを有する前記媒体内部の複数の電磁モードを有し、該複数の電磁モードは前記波長λに対応する媒体の共鳴周波数を有有する；
‐  アンテナ素子は、前記媒体の電磁モードの少なくとも一つの腹に近接して配置され、他のアンテナ素子は、前記媒体の電磁モードの少なくとも一つの他の腹に近接して配置され、腹及び他の腹は電磁モードの異なるモードに属する；
‐  導体素子、アンテナ素子、及び他のアンテナ素子は電子ボードの第一の表面の上方に印刷される；
‐  本デバイスは、複数の導体素子のうちの他の同調導体素子を更に備え、その他の同調導体素子は前記同調導体素子と異なり、前記他の同調導体素子は、前記アンテナ素子からλ／１０未満の距離において第一の端部を有し、前記他の同調導体素子は、他の波長λ＊に対応する他の電気共鳴周波数を有し、他の波長λ＊は波長λと異なる；
‐  本デバイスは、複数の導体素子のうちの他の同調導体素子を更に備え、その他の同調導体素子は前記同調導体素子と異なり、他の同調導体素子は前記アンテナ素子からλ／１０未満の距離においてその第一の端部を有し、他の同調導体素子は、他の波長λ＊に対応する他の同調導体素子に沿った電磁共鳴を発生させるように構成された他の同調導体素子を覆う誘電体層を備え、他の波長λ＊は波長λと異なる；
‐  媒体はその媒体の屈折率を変更する孔を備える；
‐  導体素子の第一の端部は、第一の表面において規則的に間隔が空けられて、第一の表面の上方に周期パターンを形成する；
‐  導体の素子の各第一の端部は、電気質量、定電位、パッシブインピーダンス、抵抗インピーダンス、キャパシタインピーダンス、及びインダクタインピーダンスから成る群から選択された電荷に接続される；
‐  第二の端部はλ／１０未満の末端間距離で第一の端部から離れる。
【０００９】
本発明の他の課題は、電磁波を送受信するためのデバイスを備えたシステムを提供することであり、アンテナ素子は電気信号を送受信するために電子デバイスに接続され、他のアンテナ素子は他の電気信号を送受信するために該電子デバイスに接続される。
【００１０】
任意で、アンテナ素子は結合回路を介して電子デバイスに接続され、その結合回路は好ましくはリアクタンス性インピーダンスを有する。
【００１１】
本発明の他の課題は、１ｍｍと１ｍの間、好ましくは１０ｃｍと４０ｃｍとの間の自由空間波長λ０を有する電磁波を送受信するためのデバイスの使用である。
【００１２】
本発明の他の特徴及び利点は、添付図面を参照する以下の非限定的な例として与えられる七実施形態の詳細な説明から明らかになるものである。
【図面の簡単な説明】
【００１３】
【図１】本発明の係る電磁波を送受信するためのデバイスの斜視図である。
【図２】図１のデバイス内部の三つの横電磁モードの三つの図である。
【図３】傾斜形状を有する媒体を備えた本発明の第二の実施形態である。
【図４】アーチ形状を有する媒体を備えた本発明の第三の実施形態である。
【図５】デバイスのいくつかの導体素子を取り囲む誘電体層を備えた本発明の第四の実施形態である。
【図６】デバイスの媒体内部に孔を備えた本発明の第五の実施形態である。
【図７】非平行な導体素子を有する本発明の第六の実施形態である。
【図８】ループ状導体素子を備えた本発明の第七の実施形態である。
【図９】図８のデバイスの導体素子の変形例の図である。
【図１０】図８のデバイス内部の電磁モードの図である。
【発明を実施するための形態】
【００１４】
多様な図面において、同じ参照番号は、同一又は同様の要素を示す。方向Ｚは垂直方向である。方向Ｘ又はＹは水平方向である。
【００１５】
図１は、空間において電磁波を送受信するためのデバイス１０の第一の実施形態を示し、その電磁波は、１ｍｍから１ｍの間、好ましくは１０ｃｍから４０ｃｍの間の自由空間波長λ０を有する。
【００１６】
本デバイスは：
‐  固体誘電体の媒体１１と、
‐  その媒体１１内部に組み込まれたワイヤである複数の導体素子１２と、
‐  電磁波Ｗを表す電気信号Ｓを送受信するための電子デバイス１４に接続されるアンテナ素子１３とを備える。
【００１７】
媒体は屈折率ｎｄを有する。
【００１８】
空間は空気であるか、又は１に等しい屈折率を有するものとされる。
【００１９】
自由空間波長λ０は、以下の関係式で媒体１１内部の波長λに対応する：
ｎｄ・λ＝λ０
【００２０】
媒体１１は、平行六面体形状を有し、第一の表面Ｓ１と、垂直方向Ｚに沿って第一の表面に対向する第二の表面Ｓ２とを備える。第一及び第二の表面Ｓ１、Ｓ２は実質的に平行な面である。方向Ｄはこれら表面に垂直で且つ垂直方向Ｚに平行な実質的な直線である。第一及び第二の表面Ｓ１、Ｓ２は高さＨで離れている。
【００２１】
媒体はεｄの誘電率を有する。
【００２２】
導体素子１２は或る直径の円形ワイヤであり、方向Ｄに沿って延伸している。これら導体素子１２は、第一の表面Ｓ１上の第一の端部１２ａと、第二の表面Ｓ２上の第二の端部１２ｂとを有する。各導体素子１２は同じ値Ｈの長さを有する。本第一の実施形態では、導体素子１２は、第一の表面Ｓ１上に、又は垂直方向Ｚに垂直なあらゆる平面ＸＹ上に、規則的な間隔の正方形グリッドを形成する。導体素子１２は垂直方向Ｚに沿って互いに平行であり、λ／１０未満の距離ｄで方向Ｘ又はＹに沿って互いに間隔が空けられる。このサブ波長距離ｄは、グリッドのステップである。従って、導体素子１２はワイヤの規則的格子を形成する。
【００２３】
一又は複数のアンテナ素子１３は、第一の表面Ｓ１、第二の表面Ｓ２、又はこれら両方の上に設置される。アンテナ素子１３には、単一の電磁波Ｗを送受信するように単一の電気信号Ｓが供給されるか、又は、複数の電磁波を同時に送受信するために複数の電気信号が供給され得る。
【００２４】
媒体１１内部に埋め込まれたワイヤ導体素子１２を備えたこのようなワイヤ媒体において、磁場ベクトルＢ及び電場ベクトルＥは方向Ｄに垂直であり、伝播波ベクトルＫは、その方向Ｄと共線的な伝播ベクトルである。電磁波Ｗは、方向Ｄに沿って媒体１１内部を伝播する平面波である。
【００２５】
磁場ベクトルＢ及び電場ベクトルＥは、節及び腹を備えた媒体１１内部の横電磁モードＴＥＭを有する。ＴＥＭモードは、方向Ｘ及びＹに沿ったサブ波長の変動を有する。図２ａ、２ｂ及び２ｃは、三つの異なるモードによる媒体１１内部の電場ベクトルＥの振幅の変動を示し、媒体１１は７×７の導体素子１２を含む。各モードは、媒体１１内部に異なるパターンを有し、他のモードと直交する。このダイバーシティの物理的性質によって、媒体１１の境界における複数のアンテナ素子１３の電気信号が互いに無相関となる。これらアンテナ素子１３は、互いに独立的に使用可能であり、又はＭＩＭＯ（ｍｕｌｔｉ−ｉｎｐｕｔ  ｍｕｌｔｉ−ｏｕｔｐｕｔ）構成で使用可能である。更に、この複数又はアレイのアンテナは、サイズが非常に小型のデバイスである。
【００２６】
ワイヤ媒体は非分散性媒体であり、その分散関係は：
ω＝ｋｚ・ｃ／ｎｄ
であり、
ｋｚは伝播波ベクトルＫのＺ成分の値、
ｃは真空中の電磁波の速さ、
ｎｄは媒体の物質の屈折率である。
【００２７】
例えば、空気の屈折率は１であり、エポキシの屈折率は略２である。
【００２８】
従って、媒体１１は、異方性媒体である。各ＴＥＭモードは、同じ伝播速度と、同じ共鳴周波数ｆとを有し、ｆ＝ω／（２π）である。
【００２９】
媒体１１の全ての又は一部の導体素子１２はこの共鳴周波数ｆに同調可能である。導体素子１２は、０．７・Ｎ・λ／２からＮ・λ／２の間の特定長さＨｗｉｒｅを有し得て、
‐  Ｎは自然数であり、
‐  λは媒体内部の波長である。
【００３０】
より正確には、導体素子１２は、以下の特定長さＨｗｉｒｅを有し得る：
Ｈｗｉｒｅ＝Ｎ・λ／２
【００３１】
従って、同調導体素子１２は、ＴＥＭモードの共鳴周波数と一致する共鳴周波数を有する。
【００３２】
この同調によって、ＴＥＭモードが励起し得るか、又は媒体１１内部に組み込まれた大抵の導体素子１２によって励起され得る。
【００３３】
有利には、アンテナ素子１３は、媒体１１の横電磁モードの少なくとも一つの腹に近接して配置され得る。これは、電磁波を送受信するデバイスの感度を改善し得る。
【００３４】
複数のアンテナ素子１３がデバイス内部に組み込まれ得る。これら複数のものの各アンテナ素子１３は、横電磁モードＴＥＭの異なる腹に近接して配置され得る。そして、各アンテナ素子１３に、単一の電気信号Ｓが供給される。そして、ＴＥＭモードに属する複数のモードが励起されて、より多くの導体素子１２が、電磁波Ｗの送受信に寄与する。このようにして、デバイスの放射ダイアグラムが影響を受け得る。
【００３５】
複数のアンテナ素子１３がデバイス内部に組み込まれ得る。これら複数のものの各アンテナ素子１３は、横電磁モードＴＥＭの異なる腹に近接して配置され得る。各アンテナ素子１３には、異なる電気信号Ｓが供給され得る。このようにして、本デバイスが、異なる独立的な電磁波Ｗを同時に送受信することができる。
【００３６】
第一の変形例では、アンテナ素子１３が、単純に、電子デバイス１４に接続されたワイヤ媒体の導電素子１２のうちの一つであり得る。
【００３７】
第二の変形例では、アンテナ素子１３は、電子ボード上方の導体のパッチ又はワイヤであり、その電子ボードは、媒体１１の第一の表面Ｓ１及び／又は第二の表面に近接している。
【００３８】
多様な実施形態において、異なる共鳴周波数のＴＥＭモードを媒体内部に発生させることができる。
【００３９】
図３に示される第二の実施形態では、上述のワイヤ媒体が、第一の表面Ｓ１に平行ではない面に沿って切断され、傾斜形状が形成される。このような媒体に組み込まれた導体素子１２は、Ｈｗｉｒｅ，ｍｉｎとＨｗｉｒｅ，ｍａｘとの間の複数の長さを有し、Ｈｗｉｒｅ，ｍｉｎは媒体の最下部の高さに相当し、Ｈｗｉｒｅ，ｍａｘは、媒体の最高部の高さに相当する。そして、本デバイスは、この高さ範囲に対応する所定の波長範囲に適合される。
【００４０】
図４に示される第三の実施形態では、方向Ｄは、第一の表面Ｓ１と第二の表面Ｓ２との間のアーチ状方向である。例えば、媒体は、その各々の上に導体ストリップを有する複数のフレキシブルシート製であり、それらのシートがアーチ状にされ互いに積層される。円弧の中心近くの又は半径の短い導体ストリップ（導体素子）１２は、半径の長い導体ストリップよりも短い。
【００４１】
図５に示される第四の実施形態では、いくつかの導体素子１２が、導体素子を覆う誘電体層１５を有する。誘電体層１５は、媒体１１の誘電率εｄとは異なる誘電率εｌａｙｅｒを有する。誘電体層１５で覆われた導体素子１２の共鳴周波数は、層１５の無い導体素子１２の共鳴周波数と異なる。
【００４２】
図６に示される第五の実施形態では、媒体１１に孔が開けられて、孔１６が形成される。孔は、所定の導体素子１２近くの媒体１１の屈折率ｎｄを変更する。
【００４３】
図７に示される第六の実施形態では、導体素子１２は互いに平行ではない。導体素子１２の長さは媒体１１内部で異なる。
【００４４】
更に、上述の実施形態とは対照的に、導体素子１２は第一の表面Ｓ１に沿った周期パターンを形成していない。
【００４５】
これまでの五つの異なる実施形態によって、媒体１１が複数の共鳴周波数を有し、電磁波を送受信するためのデバイスが拡大された帯域幅を有し得る。
【００４６】
更に、追加の変形例によると：
‐  媒体の側面ＬＳが導体で覆われ得て、
‐  第一の表面が接地板を有し得て、
‐  導体素子１２がループ形状又は曲線形状を形成し得て、
‐  アンテナ素子１３が単極子又は双極子であり得て、
‐  アンテナ素子１３が波長よりも短い又は波長よりも長いワイヤであり得て、
‐  アンテナ素子１３が、媒体１１内部に、第一の表面Ｓ１に沿って、又は第一及び第二の表面Ｓ１、Ｓ２に沿って組み込まれ得る。
【００４７】
本発明のデバイス１０は既知の方法で製造可能である。例えば、エポキシ材料上の多層銅のエッチングが使用可能であり、その各層は、層の面内部に複数の導体素子を備える。
【００４８】
図８に示される本発明の第七の実施形態では、媒体１１は平面形状を有し、高さＨで離れた第一の表面Ｓ１及び第二の表面Ｓ２を有する。この高さは上述の実施形態のものよりも低く、デバイス１０は垂直方向Ｚにおいてより小型である。
【００４９】
導体素子１２は第一の表面Ｓ１上に延伸するワイヤである。各導体素子は、少なくとも一つの開口を有する小型ループを形成する電気回路を形成する。例えば、導体素子１２はＣ字型を有する。ループは電気インダクタンスＬのように機能し、開口は電気キャパシタＣのように機能して、導体素子１２が、共鳴周波数ｆｃを有する小型電気回路のように機能して、そのような共鳴周波数ｆｃは（１／２π）√（ＬＣ）に実質的に等しい。これらの導体素子１２はＳＲＲ（ｓｐｌｉｔ  ｒｉｎｇ  ｒｅｓｏｎａｔｏｒ）と称される。
【００５０】
図９ａから９ｄは、導体素子１２の四つの変形例を示す。導体素子は第一の端部１２ａと第二の端部１２ｂとの間に第一の点Ｐ１と第二の点Ｐ２を有する。
【００５１】
例えば、第一及び第二の点Ｐ１、Ｐ２は、λ／１０未満の直線距離で互いに離れている。導体素子１２は、第一及び第二の点Ｐ１、Ｐ２の間で電気キャパシタＣの容量効果を有する。導体素子１２は、第一及び第二の点Ｐ１、Ｐ２の間で小型ループを形成し、電気インダクタンスＬの誘導効果を有する。
【００５２】
導体素子１２は、共鳴周波数ｆｃを有する電気回路として機能する。
【００５３】
導体素子１２は、第一及び第二の点１２ａ、１ｂの間にＨｗｉｒｅの値の長さを有する。
【００５４】
導体素子１２は、複数のインダクタ及びキャパシタのように機能する複数のループ及び開口を有し得る。これらインダクタ及びキャパシタの構成は多数存在し、複数の共鳴周波数ｆｃを有する。
【００５５】
第一及び第二のアンテナ素子１３（少なくとも二つ）が第一の表面Ｓ１上に設置される。各アンテナ素子１３には、電磁波Ｗを送受信するための単一の電気信号Ｓが供給されるか（放射ダイアグラムの変更）、又は複数の電磁波を同時に送受信するための複数の異なる独立的な電気信号が供給される（ＭＩＭＯ）。
【００５６】
好ましくは、第一及び第二のアンテナ素子１３は、電子デバイスに直接、又は結合回路を介して間接的に接続された導体素子１２のうち二つである。従って、デバイスの設計は単純である。デバイスは、たった一層の回路板で製造可能である。デバイスは高価ではない。
【００５７】
結合回路は好ましくはリアクタンス性インピーダンスを有する。
【００５８】
媒体１１は、図８に示されるように導体素子１２のアレイを含み得る。このようなアレイは、節及び腹を備えた複数の電磁モードＥＭを第一の表面Ｓ１のＸＹ面内に有するメタマテリアル媒体である。これらＥＭモードは、上述の六つの実施形態のＴＥＭモードと同様に、方向Ｘ及びＹに沿ってサブ波長の変動を有する。図１０は、一つのＥＭモードによる媒体１１内部の電場ベクトルＥの振幅の変動を示し、媒体１１は８×８の導体素子１２を含む。各モードは、媒体１１内部に異なるパターンを有し、他のモードに対して直交する。従って、第一及び第二のアンテナ素子１３の電気信号は互いに非相関である。アンテナ素子１３は、ＭＩＭＯ構成において互いに独立的に使用可能である。
【００５９】
このようなデバイスは、主に方向Ｚにおいてサイズが小型である。このようなデバイスは、単一のプレートの回路板であり得る。これは平坦で安価である。
【００６０】
同調導体素子１２は、媒体１１の電磁モードＥＭの共鳴周波数と一致する共鳴周波数ｆｃを有する。
【００６１】
この特徴によって、電磁モードＥＭが励起し得るか、又は媒体１１内部に組み込まれた大抵の導体素子１２によって励起され得る。
【００６２】
第一及び第二のアンテナ素子１３は、媒体１１の電磁モードの一つの腹に近接して配置されて、電磁波Ｗを送受信するデバイス感度を改善する。
【００６３】
導体素子１２は全て同一であり得る。
【００６４】
導体素子１２は全て同一でないものでもあり得る。複数の異なる（サイズ、形状等）導体素子１２の分布が存在し得る。メタマテリアル中の電磁的ダイバーシティが増大されて、第一及び第二のアンテナ素子１３の電気信号がより非相関になる。信号の分離が改善される。
【００６５】
導体素子１２は、第一の表面Ｓ１上方に規則的なアレイとして配置され得る。
【００６６】
代わりに、導体素子１２は、第一の表面上に規則的に配置されないものであり得る。これでも、メタマテリアル中の電磁的ダイバーシティが増大され、信号がサブ波長においてより非相関になる。
【符号の説明】
【００６７】
１１  媒体
１２  導体素子
１３  アンテナ素子
１４  電子デバイス
【図１】
0005613774.tif 000002
【図２ａ】
0005613774.tif 000003
【図２ｂ】
0005613774.tif 000004
【図２ｃ】
0005613774.tif 000005
【図３】
0005613774.tif 000006
【図４】
0005613774.tif 000007
【図５】
0005613774.tif 000008
【図６】
0005613774.tif 000009
【図７】
0005613774.tif 000010
【図８】
0005613774.tif 000011
【図９ａ】
0005613774.tif 000012
【図９ｂ】
0005613774.tif 000013
【図９ｃ】
0005613774.tif 000014
【図９ｄ】
0005613774.tif 000015
【図１０】
0005613774.tif 000016